(57)【要約】      （修正有）【課題】画像処理装置の設置場所を変更したり新たに設置したりした場合に、その設置場所に応じた設定値を自動的に設定することのできる画像処理装置設定値設定方法、設定管理装置及びプログラムを提供する。【解決手段】画像処理装置は、移動後の自装置の周辺の他の画像処理装置の所定の設定項目に関する設定値情報と、周辺の他の画像処理装置の位置情報を取得し、これらの設定値情報と位置情報と自装置の位置情報とから、移動後の設置位置における設定値を導出して設定する。たとえば、自装置と他の画像処理装置との距離に基づいて設定値の補間処理を行って、自装置の設置位置での設定値を導出する。また、周辺の画像総理装置から設置後の設定値の経時変化の情報を取得し、これを導出する設定値に反映させる。【選択図】図１５
2018107635.tif 000002
【特許請求の範囲】
【請求項１】
自装置の周辺に設置されている他の画像処理装置について、設置場所に応じて設定値が変更される所定の設定項目の設定値情報を取得する設定値情報取得部と、
前記周辺に設置されている他の画像処理装置と自装置との位置情報を取得する位置情報取得部と、
前記設定値情報取得部で取得した前記設定値情報と、前記位置情報取得部で取得した前記位置情報とに基づいて、自装置の設置場所における前記所定の設定項目の設定値を導出する設定値導出部と、
前記設定値導出部が導出した設定値を自装置に設定する設定部と、
を有する
ことを特徴とする画像処理装置。
【請求項２】
前記設定値は、設置場所に対応する第１調整値と、その設置場所に設置されてからの経時変化に対応する第２調整値の成分を持つ
ことを特徴とする請求項１に記載の画像処理装置。
【請求項３】
前記設定値導出部は、前記設定値の導出に、前記周辺に設置されている他の画像処理装置の現在の設置場所に設置後の経過時間が一定未満の場合は、前記周辺に設置されている他の画像処理装置の前記第２調整値は使用せずに、前の設置場所で自装置に設定されていた前記第２調整値を使用する
ことを特徴とする請求項２に記載の画像処理装置。
【請求項４】
前記所定の設定項目は、領域外消去の可否を判断するための原稿背景濃度の閾値、センサ・アンテナの感度や向き、ネットワーク設定やネットワーク設置場に係る設定項目、のうちの少なくとも１つを含む、
ことを特徴とする請求項１乃至３のいずれか１つに記載の画像処理装置。
【請求項５】
前記設定値情報取得部は、所定の管理装置から前記周辺に設置されている他の画像処理装置の前記設定値情報を取得する
ことを特徴とする請求項１乃至４のいずれか１つに記載の画像処理装置。
【請求項６】
前記設定値情報取得部は、前記周辺に設置されている他の画像処理装置のそれぞれからその画像処理装置の前記設定値情報を取得する
ことを特徴とする請求項１乃至４のいずれか１つに記載の画像処理装置。
【請求項７】
前記設定値情報取得部は、前記所定の設定項目が、人などの移動体を検出する移動体検出センサの感度である場合は、前記設定値情報と共に、画像処理装置の設置向きと画像処理装置内での前記移動体検出センサの取り付け位置の情報を取得する
ことを特徴とする請求項１または２に記載の画像処理装置。
【請求項８】
前記設定値情報取得部は、前記所定の設定項目が、設置場所や設置時期等の所定の要素に基づいて定めるネットワーク上の装置名称である場合は、前記設定値情報として前記所定の要素に係る情報を取得する
ことを特徴とする請求項１または２に記載の画像処理装置。
【請求項９】
前記設定値情報取得部は、前記管理装置とネットワークを通じて通信するための設定値情報を周辺に設置されている他の画像処理装置から取得し、該取得した設定値情報に基づいてネットワーク設定を行って前記管理装置と通信して、前記管理装置から該管理装置に登録されている設定値情報を取得する
ことを特徴とする請求項５に記載の画像処理装置。
【請求項１０】
前記位置情報取得部は、自装置の位置情報をＧＰＳで取得する
ことを特徴とする請求項１乃至９のいずれか１つに記載の画像処理装置。
【請求項１１】
前記位置情報取得部は、自装置の位置情報を、自装置に近い無線通信の基地局の位置に基づいて取得する
ことを特徴とする請求項１乃至９のいずれか１つに記載の画像処理装置。
【請求項１２】
前記位置情報取得部は、自装置の位置情報を、ユーザからの入力によって取得する
ことを特徴とする請求項１乃至９のいずれか１つに記載の画像処理装置。
【請求項１３】
前記位置情報取得部は、各画像処理装置の配置図を表示し、前記配置図上で自装置の設置位置を指し示す操作をユーザから受けて、自装置の位置情報を取得する
ことを特徴とする請求項１２に記載の画像処理装置。
【請求項１４】
一の画像処理装置の周辺に設置されている他の画像処理装置について、設置場所に応じて設定値が変更される所定の設定項目の設定値情報を取得する設定値情報取得ステップと、
前記周辺に設置されている他の画像処理装置と前記一の画像処理装置の位置情報を取得する位置情報取得ステップと、
前記設定値情報取得ステップで取得した前記設定値情報と、前記位置情報取得ステップで取得した前記位置情報とに基づいて、前記一の画像処理装置の設置場所における前記所定の設定項目の設定値を導出する設定値導出ステップと、
前記設定値導出ステップで導出した設定値を前記一の画像処理装置に設定する設定ステップと、
を有する
ことを特徴とする設定値設定方法。
【請求項１５】
画像処理装置で実行されるプログラムであって、
前記画像処理装置の周辺に設置されている他の画像処理装置について、設置場所に応じて設定値が変更される所定の設定項目の設定値情報を取得する設定値情報取得ステップと、
前記周辺に設置されている他の画像処理装置と前記画像処理装置の位置情報を取得する位置情報取得ステップと、
前記設定値情報取得ステップで取得した前記設定値情報と、前記位置情報取得ステップで取得した前記位置情報とに基づいて、前記画像処理装置の設置場所における前記所定の設定項目の設定値を導出する設定値導出ステップと、
前記設定値導出ステップで導出した設定値を前記画像処理装置に設定する設定ステップと、
を有する
ことを特徴とするプログラム。
【請求項１６】
管理対象の画像処理装置と通信する通信部と、
設置場所に応じて設定値が変更される所定の設定項目の設定値情報を、前記管理対象の画像処理装置から取得する第２設定値情報取得部と、
前記管理対象の画像処理装置の設置位置を示す位置情報を取得する第２位置情報取得部と、
一の画像処理装置から設置位置の情報を含む設定値要求を受信した場合に、前記一の画像処理装置の周辺に設置されている画像処理装置を特定する装置特定部と、
前記受信した前記一の画像処理装置の前記設置位置の情報と、前記装置特定部が特定した画像処理装置の前記設定値情報と前記位置情報とに基づいて、前記一の画像処理装置の設置位置における前記所定の設定項目の設定値を導出する第２設定値導出部と、
前記第２設定値導出部が導出した設定値を前記一の画像処理装置に送信する設定値送信部と、
を有する
ことを特徴とする設定管理装置。
【請求項１７】
前記設定値情報は、設置場所に対応する第１調整値と、その設置場所に設置されてからの経時変化に対応する第２調整値を成分に持つ
ことを特徴とする請求項１６に記載の設定管理装置。
【請求項１８】
前記第２設定値導出部は、前記設定値の導出に、前記特定した画像処理装置の現在の設置場所に設置後の経過時間が一定未満の場合は、前記特定した画像処理装置の前記第２調整値は使用せずに、前の設置場所で前記一の画像処理装置に設定されていた前記第２調整値を使用する
ことを特徴とする請求項１７に記載の設定管理装置。
【請求項１９】
ネットワークを通じた通信機能を備えたサーバで実行されるプログラムであって、
設置場所に応じて設定値が変更される所定の設定項目の設定値情報を、管理対象の画像処理装置から取得する第２設定値情報取得ステップと、
前記管理対象の画像処理装置の設置位置を示す位置情報を取得する第２位置情報取得ステップと、
一の画像処理装置から設置位置の情報を含む設定値要求を受信した場合に、前記一の画像処理装置の周辺に設置されている画像処理装置を特定する装置特定ステップと、
前記受信した前記一の画像処理装置の前記設置位置の情報と、前記装置特定ステップで特定した画像処理装置の前記設定値情報と前記位置情報とに基づいて、前記一の画像処理装置の設置位置における前記所定の設定項目の設定値を導出する第２設定値導出ステップと、
前記第２設定値導出ステップで導出した設定値を前記一の画像処理装置に送信する設定値送信ステップと、
を有する
ことを特徴とするプログラム。
【発明の詳細な説明】
【技術分野】
【０００１】
本発明は、設定値を自動的に設定する画像処理装置、設定値設定方法、設定管理装置およびプログラムに関する。
【背景技術】
【０００２】
コピー、スキャン、プリントなどの機能を備えた複合機等の画像処理装置は、それぞれの機能に関する設定項目やネットワークを通じて通信するための設定項目など多くの設定項目を備えている。設定項目の中には、装置を新たに設置したときや設置場所を移動した場合に設定するものがある。
【０００３】
たとえば、サービスマンは、顧客先に複合機(以後、ＭＦＰとも記す)を設置する際、時刻設定や地域設定などの初期設定を行う、このような時刻設定や地域設定は、オフィスに設置する複数のＭＦＰについて共通なため、たとえば、管理装置から一括設定することができる。
【０００４】
一方、設置時や移動時に１台ずつ個別に設定しなければならない設定項目がある。たとえば、見開いた状態の本などの原稿をプラテンガラス上に載置し、プラテンカバーを開いた状態でコピーをとるような場合に、原稿部分とその周囲との境界を判別して、原稿部分の外側領域を複写対象から削除する、所謂、領域外消去の機能を備えた複合機においては、領域外消去が可能か否かを判定するための原稿背景濃度の閾値を設定することが行われる。この設定値より、原稿背景の濃度が濃い場合には、原稿背景と周囲との境界が不明確になるため領域外消去は実行できないと判定される。
【０００５】
領域外消去に係る上記の閾値等の適切な設定値は、ＭＦＰの設置場所（外光の具合）に応じて変わるため、管理装置で一律に設定することはできず、１台ずつ個別に設定しなければならない。
【０００６】
設置場所に応じて個別に設定しなければならない設定項目には、このほか、以下のようなものがある。
【０００７】
・ネットワーク設定（ドメイン名、ゲートウエイ、装置名称）
これらの設定においては、装置名称等からその装置の設置位置がユーザにわかるように名称が決定されることが多い。また、無線ＬＡＮが使われる環境では、ＡＰ（アクセスポイント）との接続設定が必要な場合もある。ＭＦＰとクラウドやサーバとの接続や、サーバ機能を内蔵したＭＦＰも増えており、これらについても、設置場所のネットワーク環境に応じた設定が設置時に必要になる。
【０００８】
・ＭＦＰの設置時にＣＯＰＹ画像の位置調整や濃度確認をし、必要に応じて調整をしている。これらに関する設定値の中には、温度・湿度・気圧などの設置環境に影響を受けるものもある。紙の状態を一定に保つための温湿度を調整するといった機能もある。
【０００９】
・人が近づいた場合に省電力モードから復帰する機能を備えたＭＦＰでは人の接近を検知するために人感センサを搭載しており、オフィス内に多数のＭＦＰがある場合には、周辺装置との干渉を避けるために、人感センサの指向性や感度の調整が必要になる。
【００１０】
・モバイル接続にＷＦＤ（WiFi Direct）や、Bluetooth（登録商標）を利用するには接続設定が必要であり、他のＭＦＰとの干渉を避けるための調整が求められることがある。
【００１１】
・ＧＰＳ（Global Positioning System）機能を備え、ＧＰＳで得た自装置の位置情報を使用するようなＭＦＰでは、設置場所に応じて、ＧＰＳのアンテナの設置位置を適切にする等の調整が必要な場合がある。
【００１２】
なお、個別設定に関する技術として、下記特許文献１には、装置をリプレイスした場合に、装置の名称など、そこにある装置固有の情報を、交換後にサーバからインポートして引き継ぐ技術が開示されている。また、下記特許文献２には、ＭＦＰとネットワークで接続されているＰＣがリプレイスされた場合に、ＭＦＰのアドレス帳に登録されたリプレイス前のＰＣの情報をリプレイス後のＰＣの情報に置換する技術が開示されている。
【先行技術文献】
【特許文献】
【００１３】
【特許文献１】特開２０１６−０１８３４４号公報
【特許文献２】特開２００７−１９９９５８号公報
【発明の概要】
【発明が解決しようとする課題】
【００１４】
特許文献１は、装置リプレイスに関する技術であり、特許文献２は、ＰＣのリプレイスに関する技術であり、いずれも、ＭＦＰなどの画像処理装置を新たに設置した場合や設置場所を移動した場合に、その設置場所に応じた設定値の設定には役立たない。
【００１５】
本発明は、上記の問題を解決しようとするものであり、画像処理装置の設置場所を変更したり新たに設置したりした場合に、その設置場所に応じた設定値を自動的に設定することのできる画像処理装置、設定値設定方法、設定管理装置およびプログラムを提供することを目的としている。
【課題を解決するための手段】
【００１６】
かかる目的を達成するための本発明の要旨とするところは、次の各項の発明に存する。
【００１７】
［１］自装置の周辺に設置されている他の画像処理装置について、設置場所に応じて設定値が変更される所定の設定項目の設定値情報を取得する設定値情報取得部と、
前記周辺に設置されている他の画像処理装置と自装置との位置情報を取得する位置情報取得部と、
前記設定値情報取得部で取得した前記設定値情報と、前記位置情報取得部で取得した前記位置情報とに基づいて、自装置の設置場所における前記所定の設定項目の設定値を導出する設定値導出部と、
前記設定値導出部が導出した設定値を自装置に設定する設定部と、
を有する
ことを特徴とする画像処理装置。
【００１８】
上記発明では、画像処理装置は、自装置の周辺の他の画像処理装置の所定の設定項目に関する設定値情報と、自装置及び周辺の他の画像処理装置の位置情報を取得し、これらの設定値情報と位置情報とから自装置の設置位置における設定値を導出して設定する。たとえば、自装置と周辺の他の画像処理装置との距離に基づいて周辺の他の画像処理装置の設定値に対して補間処理を行って、自装置の設置位置での設定値を導出する。
【００１９】
［２］前記設定値は、設置場所に対応する第１調整値と、その設置場所に設置されてからの経時変化に対応する第２調整値の成分を持つ、
ことを特徴とする［１］に記載の画像処理装置。
【００２０】
上記発明では、設定値は、設置場所に依存する第１調整値と、設置後の経時変化（使用実績に伴う経験値など）に依存する第２調整値を成分として構成される。したがって、設定値情報は、第１調整値に関する情報と第２調整値に関する情報を含む。
【００２１】
［３］前記設定値導出部は、前記設定値の導出に、前記周辺に設置されている他の画像処理装置の現在の設置場所に設置後の経過時間が一定未満の場合は、前記周辺に設置されている他の画像処理装置の前記第２調整値は使用せずに、前の設置場所で自装置に設定されていた前記第２調整値を使用する
ことを特徴とする［２］に記載の画像処理装置。
【００２２】
上記発明では、設置後の経過時間の短い周辺の装置の第２調整値については、信頼性が低いので、これを採用せずに、自装置の前の設置場所での第２調整値を用いて、新たな設定値を導出する。
【００２３】
［４］前記所定の設定項目は、領域外消去の可否を判断するための原稿背景濃度の閾値、センサ・アンテナの感度や向き、ネットワーク設定やネットワーク設置場に係る設定項目、のうちの少なくとも１つを含む、
ことを特徴とする［１］乃至［３］のいずれか１つに記載の画像処理装置。
【００２４】
上記の設定項目は、いずれも、設置場所に依存して設定値が設定されるものである。
【００２５】
［５］前記設定値情報取得部は、所定の管理装置から前記周辺に設置されている他の画像処理装置の前記設定値情報を取得する
ことを特徴とする［１］乃至［４］のいずれか１つに記載の画像処理装置。
【００２６】
上記発明では、管理装置は、各画像処理装置の設定値情報や位置情報を管理しており、画像処理装置は、管理装置から周辺の画像処理装置の設定値情報を取得する。
【００２７】
［６］前記設定値情報取得部は、前記周辺に設置されている他の画像処理装置のそれぞれからその画像処理装置の前記設定値情報を取得する
ことを特徴とする［１］乃至［４］のいずれか１つに記載の画像処理装置。
【００２８】
［７］前記設定値情報取得部は、前記所定の設定項目が、人などの移動体を検出する移動体検出センサの感度である場合は、前記設定値情報と共に、画像処理装置の設置向きと画像処理装置内での前記移動体検出センサの取り付け位置の情報を取得する
ことを特徴とする［１］または［２］に記載の画像処理装置。
【００２９】
上記発明では、装置の位置情報のみではセンサの検出範囲を特定できないので、装置の向き及び装置内でのセンサの取り付け位置の情報をさらに取得してセンサの検出範囲を特定する。
【００３０】
［８］前記設定値情報取得部は、前記所定の設定項目が、設置場所や設置時期等の所定の要素に基づいて定めるネットワーク上の装置名称である場合は、前記設定値情報として前記所定の要素に係る情報を取得する
ことを特徴とする［１］または［２］に記載の画像処理装置。
【００３１】
上記発明では、設置場所や設置時期（年度や順序など）に基づくルールに従って装置名称を決定する場合に、そのルールで装置名称を決定するために必要な情報を設定値情報として取得する。
【００３２】
［９］前記設定値情報取得部は、前記管理装置とネットワークを通じて通信するための設定値情報を周辺に設置されている他の画像処理装置から取得し、該取得した設定値情報に基づいてネットワーク設定を行って前記管理装置と通信して、前記管理装置から該管理装置に登録されている設定値情報を取得する
ことを特徴とする［５］に記載の画像処理装置。
【００３３】
上記発明では、まず、周辺の画像処理装置と通信して基本的なネットワーク設定を行って管理装置と通信可能な状態にし、その後、該管理装置に登録されている周辺の画像処理装置の設定値情報を管理装置と通信して取得する。
【００３４】
［１０］前記位置情報取得部は、自装置の位置情報をＧＰＳで取得する
ことを特徴とする［１］乃至［９］のいずれか１つに記載の画像処理装置。
【００３５】
［１１］前記位置情報取得部は、自装置の位置情報を、自装置に近い無線通信の基地局の位置に基づいて取得する
ことを特徴とする［１］乃至［９］のいずれか１つに記載の画像処理装置。
【００３６】
［１２］前記位置情報取得部は、自装置の位置情報を、ユーザからの入力によって取得する
ことを特徴とする［１］乃至［９］のいずれか１つに記載の画像処理装置。
【００３７】
［１３］前記位置情報取得部は、各画像処理装置の配置図を表示し、前記配置図上で自装置の設置位置を指し示す操作をユーザから受けて、自装置の位置情報を取得する
ことを特徴とする［１２］に記載の画像処理装置。
【００３８】
［１４］一の画像処理装置の周辺に設置されている他の画像処理装置について、設置場所に応じて設定値が変更される所定の設定項目の設定値情報を取得する設定値情報取得ステップと、
前記周辺に設置されている他の画像処理装置と前記一の画像処理装置の位置情報を取得する位置情報取得ステップと、
前記設定値情報取得ステップで取得した前記設定値情報と、前記位置情報取得ステップで取得した前記位置情報とに基づいて、前記一の画像処理装置の設置場所における前記所定の設定項目の設定値を導出する設定値導出ステップと、
前記設定値導出ステップで導出した設定値を前記一の画像処理装置に設定する設定ステップと、
を有する
ことを特徴とする設定値設定方法。
【００３９】
［１５］画像処理装置で実行されるプログラムであって、
前記画像処理装置の周辺に設置されている他の画像処理装置について、設置場所に応じて設定値が変更される所定の設定項目の設定値情報を取得する設定値情報取得ステップと、
前記周辺に設置されている他の画像処理装置と前記画像処理装置の位置情報を取得する位置情報取得ステップと、
前記設定値情報取得ステップで取得した前記設定値情報と、前記位置情報取得ステップで取得した前記位置情報とに基づいて、前記画像処理装置の設置場所における前記所定の設定項目の設定値を導出する設定値導出ステップと、
前記設定値導出ステップで導出した設定値を前記画像処理装置に設定する設定ステップと、
を有する
ことを特徴とするプログラム。
【００４０】
［１６］管理対象の画像処理装置と通信する通信部と、
設置場所に応じて設定値が変更される所定の設定項目の設定値情報を、前記管理対象の画像処理装置から取得する第２設定値情報取得部と、
前記管理対象の画像処理装置の設置位置を示す位置情報を取得する第２位置情報取得部と、
一の画像処理装置から設置位置の情報を含む設定値要求を受信した場合に、前記一の画像処理装置の周辺に設置されている画像処理装置を特定する装置特定部と、
前記受信した前記一の画像処理装置の前記設置位置の情報と、前記装置特定部が特定した画像処理装置の前記設定値情報と前記位置情報とに基づいて、前記一の画像処理装置の設置位置における前記所定の設定項目の設定値を導出する第２設定値導出部と、
前記第２設定値導出部が導出した設定値を前記一の画像処理装置に送信する設定値送信部と、
を有する
ことを特徴とする設定管理装置。
【００４１】
［１７］前記設定値は、設置場所に対応する第１調整値と、その設置場所に設置されてからの経時変化に対応する第２調整値を成分に持つ
ことを特徴とする［１６］に記載の設定管理装置。
【００４２】
［１８］前記第２設定値導出部は、前記設定値の導出に、前記特定した画像処理装置の現在の設置場所に設置後の経過時間が一定未満の場合は、前記特定した画像処理装置の前記第２調整値は使用せずに、前の設置場所で前記一の画像処理装置に設定されていた前記第２調整値を使用する
ことを特徴とする［１７］に記載の設定管理装置。
【００４３】
［１９］ネットワークを通じた通信機能を備えたサーバで実行されるプログラムであって、
設置場所に応じて設定値が変更される所定の設定項目の設定値情報を、管理対象の画像処理装置から取得する第２設定値情報取得ステップと、
前記管理対象の画像処理装置の設置位置を示す位置情報を取得する第２位置情報取得ステップと、
一の画像処理装置から設置位置の情報を含む設定値要求を受信した場合に、前記一の画像処理装置の周辺に設置されている画像処理装置を特定する装置特定ステップと、
前記受信した前記一の画像処理装置の前記設置位置の情報と、前記装置特定ステップで特定した画像処理装置の前記設定値情報と前記位置情報とに基づいて、前記一の画像処理装置の設置位置における前記所定の設定項目の設定値を導出する第２設定値導出ステップと、
前記第２設定値導出ステップで導出した設定値を前記一の画像処理装置に送信する設定値送信ステップと、
を有する
ことを特徴とするプログラム。
【発明の効果】
【００４４】
本発明に係る画像処理装置、設定値設定方法、設定管理装置およびプログラムによれば、画像処理装置の設置場所を変更したり新たに設置したりした場合に、その設置場所に応じた設定値を自動的に設定することができる。
【００４５】
ることができる。
【図面の簡単な説明】
【００４６】
【図１】本発明の実施の形態に係る印刷システムの構成例を示す図である。
【図２】本発明の実施の形態に係る画像処理装置（ＭＦＰ）の概略構成を示すブロック図である。
【図３】本発明の実施の形態に係る管理サーバの概略構成を示すブロック図である。
【図４】プラテンカバーを開けて原稿をスキャンした場合に読み取られる画像の例を示す図である。
【図５】原稿濃度とセンサの受光した光量（センサ出力値}との関係を示すグラフの図である。
【図６】原稿濃度とセンサの受光した光量（センサ出力値}との関係を示すグラフであってマージンを見直した場合の図である。
【図７】居室ＡにおけるＭＦＰの配置と各場所での外光の状況を示す図である。
【図８】図７の配置からＭＦＰ(C)を移動させた例を示す図である。
【図９】ＭＦＰが周辺の他のＭＦＰから設定値情報を収集して設定値を導出する場合の手順を示す図である。
【図１０】図９に対応するシーケンス図である。
【図１１】管理サーバが設定値を導出する場合の手順を示す図である。
【図１２】図１１に対応するシーケンス図である。
【図１３】領域外消去に関して管理サーバが保持する管理テーブルの一例を示す図である。
【図１４】座標の原点を居室の左上（北西の角）とした場合の座標を示す図である。
【図１５】管理サーバが行う移動後の設定値を導出する処理を示す流れ図である。
【図１６】装置名の設定に関して管理サーバが保持する管理テーブルの一例を示す図である。
【図１７】ＭＦＰの設置向きを変更した場合に移動体検出センサの感度や指向性(検出範囲)を変更する必要が生じる例を示す図である。
【図１８】移動体検出センサの感度や指向性に関して管理サーバが保持する管理テーブルの一例を示す図である。
【発明を実施するための形態】
【００４７】
以下、図面に基づき本発明の実施の形態を説明する。
【００４８】
図１は、本発明の実施の形態に係る印刷システム２の構成例を示している。印刷システム２は、複数台の画像処理装置１０、管理サーバ４０をＬＡＮ（Local Area Network）などのネットワーク３に接続して構成される。ネットワーク３には各ユーザや管理者のＰＣ（パーソナルコンピュータ）などの情報処理端末が接続される。
【００４９】
画像処理装置１０は、原稿を光学的に読み取ってその複製画像を記録紙に印刷するコピー機能、読み取った原稿の画像データをファイルにして保存したり外部端末へネットワーク３を通じて送信したりするスキャン機能、ユーザの情報処理端末から受信した印刷データに基づいて印刷する印刷機能などを備えた、所謂、複合機である。以後、画像処理装置１０をＭＦＰとも記載する。
【００５０】
印刷システム２では、居室Ａには、Ａ３サイズに対応した３台のＭＦＰ（ＭＦＰ(A)、ＭＦＰ(B)、ＭＦＰ(C)）およびＡ４サイズに対応した４台のＭＦＰ（ＭＦＰ１、ＭＦＰ２、ＭＦＰ３、ＭＦＰ４）が設置されている。居室Ｂ、居室Ｃ、居室Ｄについても、１または複数台のＭＦＰが設置されて、これらはネットワーク３に接続されているがその記載は省略する。
【００５１】
管理サーバ４０は、ネットワーク３に接続されているＭＦＰの設置位置を示す位置情報、設置された日時、所定の設定項目に関する設定値の初期値、現在値などを管理している。管理サーバ４０は、ＭＦＰの設置場所が移動された場合や、新たにＭＦＰが設置された場合に、その設置場所に適した設定値を導出して対象のＭＦＰに送信して設定させる機能を果たす。
【００５２】
図２は、画像処理装置１０（ＭＦＰ）の概略構成を示すブロック図である。画像処理装置１０は、当該画像処理装置１０の動作を統括的に制御するＣＰＵ(Central Processing Unit)１１を有している。ＣＰＵ１１にはバスを通じてＲＯＭ(Read Only Memory)１２、ＲＡＭ(Random Access Memory)１３、画像読取部１４、プリンタ部１５、画像処理部１６、不揮発メモリ１７、ハードディスク装置１８、ファクシミリ通信部１９、ネットワーク通信部２１、操作パネル２２などが接続されている。
【００５３】
ＣＰＵ１１は、ＯＳ（Operating System）プログラムをベースとし、その上で、ミドルウェアやアプリケーションプログラムなどを実行する。また、ＲＯＭ１２には、各種のプログラムが格納されており、これらのプログラムに従ってＣＰＵ１１が各種処理を実行することで画像処理装置１０としての各機能が実現される。
【００５４】
ＲＡＭ１３は、ＣＰＵ１１がプログラムに基づいて処理を実行する際に各種のデータを一時的に格納するワークメモリや画像データを格納する画像メモリなどとして使用される。
【００５５】
画像読取部１４は、原稿を光学的に読み取って画像データを取得する機能を果たす。画像読取部１４は、例えば、プラテンガラス上に載置された原稿に光を照射する光源と、その反射光を受けて原稿を幅方向に１ライン分読み取るラインイメージセンサと、光源が光を照射する位置およびラインイメージセンサによるライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５６】
画像読取部１４では、通常、プラテンガラス上に原稿を載置した後、プラテンガラス全体を覆うように、プラテンガラスに対向する面が白色（高反射率）のプラテンカバーを閉じてから原稿の読み取りを行う。本など、厚みのある原稿を読み取る場合には、プラテンカバーを開いた状態で読み取りが行われる場合もある。この場合は、領域外消去の機能により、原稿と原稿以外の部分との境界を自動認識して原稿の部分だけをトリミングして読み取ることができる。
【００５７】
プリンタ部１５は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５８】
画像処理部１６は、画像の拡大縮小、回転などの処理のほか、印刷ジョブに含まれる印刷データをイメージデータに変換するラスタライズ処理、画像データの圧縮、伸張処理などを行う。
【００５９】
不揮発メモリ１７は、電源をオフにしても記憶内容が破壊されないメモリ（フラッシュメモリ）であり、各種設定項目に係る設定値の保存などに使用される。
【００６０】
ハードディスク装置１８は、不揮発で大容量の記憶装置であり、各種のプログラム、受信した印刷ジョブなどが記憶される。
【００６１】
ファクシミリ通信部１９は、ファクシミリ機能を備えた外部装置と公衆回線を通じて画像データを送受信する機能を果たす。
【００６２】
ネットワーク通信部２１は、ネットワーク３を通じて管理サーバ４０やユーザや管理者の情報処理端末、その他の外部装置との間で通信する機能を果たす。
【００６３】
操作パネル２２は、表示部２３と、操作部２４を備えている。表示部２３は、液晶ディスプレイ（ＬＣＤ…Liquid Crystal Display）などで構成され、各種の操作画面、設定画面などを表示する機能を果たす。操作部２４は、テンキーやスタートボタンなどのハードキーと、表示部２３の物理的画面上に設けられたタッチパネルとを備えている。タッチパネルは、表示部２３の物理的画面がタッチペンや指などで接触操作された座標位置を検出する。
【００６４】
画像処理装置１０のＣＰＵ１１は、プログラムを実行することで、設定値情報取得部３１、設定値導出部３２、位置情報取得部３３、設定部３４などの機能を果たす。
【００６５】
位置情報取得部３３は、自装置の周辺に設置されている他のＭＦＰと自装置の位置情報を取得する。周辺をどのような範囲にするかは適宜に設定すればよい。たとえば、所定距離以内に存在するＭＦＰとする、あるいは、最も近いものからＮ番目までのＭＦＰとする、所定距離以下かつ最も近いものからＮ番目までのＭＦＰとする、などである。
【００６６】
設定値情報取得部３１は、自装置の周辺に設置されている他のＭＦＰについて、設置場所に応じて設定値が変更される所定の設定項目の設定値情報を取得する機能を果たす。設定値導出部３２は、設定値情報取得部３１が取得した設定値情報と、位置情報取得部３３が取得した位置情報とに基づいて、自装置の設置場所における所定の設定項目の設定値を導出する機能を果たす。設定部３４は、設定値導出部３２が導出した設定値を自装置に設定する機能を果たす。設定値情報とは所定の設定項目の設定値、および、設定値導出部３２が設定値を導出するために必要な関連情報である。
【００６７】
図３は、管理サーバ４０の概略構成を示すブロック図である。管理サーバ４０は、当該管理サーバ４０の動作を統括的に制御するＣＰＵ４１を有している。ＣＰＵ４１にはバスを通じてＲＯＭ４２、ＲＡＭ４３、不揮発メモリ４４、ハードディスク装置４５、操作部４６、表示部４７、ネットワーク通信部４８などが接続されている。
【００６８】
ＣＰＵ４１は、ＯＳプログラムをベースとし、その上で、ミドルウェアやアプリケーションプログラムなどを実行する。また、ＲＯＭ４２には、各種のプログラムが格納されており、これらのプログラムに従ってＣＰＵ４１が各種処理を実行することで管理サーバ４０の各機能が実現される。
【００６９】
ＲＡＭ４３は、ＣＰＵ４１がプログラムに基づいて処理を実行する際に各種のデータを一時的に格納するワークメモリとして使用される。
【００７０】
不揮発メモリ４４は、電源をオフにしても記憶内容が破壊されないメモリ（フラッシュメモリ）であり、各種の固定データ、設定情報などが保存される。
【００７１】
ハードディスク装置４５は、大容量不揮発の記憶装置であり、アプリケーションプログラムが記憶されるほか、設定値を導出するために必要な各種の情報を登録する管理テーブル６０が記憶される。
【００７２】
表示部４７は、液晶ディスプレイなどで構成され、各種の操作画面、設定画面などを表示する機能を果たす。操作部４６は、少数のハードキーと、表示部４７の物理的画面上に設けられたタッチパネルなどで構成される。
【００７３】
ネットワーク通信部４８は、ネットワーク３を通じて画像処理装置１０やその他の外部装置との間で通信する機能を果たす。
【００７４】
管理サーバ４０のＣＰＵ４１は、プログラムを実行することで、第２設定値情報取得部５１、第２位置情報取得部５２、装置特定部５３、第２設定値導出部５４、設定値送信部５５などの機能を果たす。
【００７５】
第２位置情報取得部５２は、管理対象の各ＭＦＰの設置位置を示す位置情報を取得する機能を果たす。第２設定値情報取得部５１は、設置場所に応じて設定値が変更される所定の設定項目の設定値情報を、管理対象の各ＭＦＰから取得する機能を果たす。
【００７６】
装置特定部５３は、一のＭＦＰから、そのＭＦＰの設置位置の情報を含む設定値要求を受信した場合に、該ＭＦＰの周辺に設置されている他のＭＦＰを特定する機能を果たす。
【００７７】
第２設定値導出部５４は、設定値要求の送信元のＭＦＰの設置位置の情報と、装置特定部５３が特定したＭＦＰの設定値情報と位置情報とに基づいて、設定値要求の送信元のＭＦＰの設置位置における所定の設定項目の設定値を導出する機能を果たす。
【００７８】
設定値送信部５５は、第２設定値導出部５４が導出した設定値を、設定値要求の送信元のＭＦＰに送信する機能を果たす。
【００７９】
次に、本実施の形態に係る印刷システム２において、ＭＦＰが移動された場合に、移動後の設置場所に対応した設定値を自動的に設定する場合を、領域外消去に関する設定値を例に説明する。
【００８０】
まず、領域外消去に関する設定値について説明する。
【００８１】
図４は、プラテンカバーを開けて原稿をスキャンした場合に読み取られる画像の例を示している。プラテンカバーを開いてスキャンすると、原稿の周囲部分は、プラテンガラスに入光してくる外光の明るさに対応した濃度の画像として読み取る。そのため、図４（ａ）に示すように、外光の明るさと原稿の背景部分の明るさに一定以上の差があれば、原稿とその外部との境界を認識して、原稿部分をトリミングすることができる。一方、図４（ｂ）に示すように、外光の明るさと原稿の背景部分の明るさとの差が少ない場合は、原稿とその外部との境界を認識できないので、原稿部分をトリミングすることができず、領域外消去を行う読み取りでエラーが発生する。
【００８２】
ここでは、領域外消去がうまく作動するか否かを判断するための閾値を自動設定する。閾値より原稿背景の濃度が暗い（濃度が濃い、閾値＜原稿背景の濃度）場合にジョブエラーとなる。
【００８３】
次に、領域外消去の設定値の調整について説明する。
【００８４】
領域外消去の設定値の調整、及び、利用は次のような手順で行われる。
【００８５】
（手順１）ＭＦＰを設置後、ＭＦＰのプラテンカバーを開き、受光する光量（外光の光量）を測定する（S0）。
（手順２）測定した光量に予め定めたマージンを加えた光量（S1）を求める。
（手順３）マージンを加えた光量（S1）から正常に動作できる原稿濃度を算出する(D1)
（手順４）算出された原稿濃度（D1）を保存する
（手順５）スキャンした原稿の背景濃度が、保存した原稿濃度（D1）を超える場合、ジョブをキャンセルする。
【００８６】
図５は、原稿濃度と光量との関係を示している。外光レベルがS0のとき、原稿の背景濃度D0と同じ明るさの画像として読み取られる。そのため、境界を認識するためのマージンを考慮して、外光レベルがS0のとき、外光レベルS1（S1=S0+マージン）に対応する原稿の背景濃度D1を、ジョブキャンセルの閾値として初期設定する。
【００８７】
しかし、外光の具合や、使われる原稿の濃度は、利用時によって異なる。たとえば、閾値の設定時に測定した外光の強さ（S0）より、実際に原稿をスキャンする際の外光の強さが強いケースが多ければ、適切な閾値の値は（D1）よりさらに薄い濃度に対応する値にしなければならない。逆に、閾値の設定時に測定した外光の強さ（S0）より、実際に原稿をスキャンする際の外光の強さが弱いケースが多ければ、適切な閾値の値は（D1）より濃い濃度に対応する値にすることが好ましい。
【００８８】
そのため、領域外消去に関する閾値は、ＭＦＰの設置後の使用状態（エラーの発生状況等）に応じて、ユーザや管理者によって適宜に変更され、設置してからの経過時間が長ければ長いほど、その設置場所での最適値に近づくように見直しが行われる。
【００８９】
たとえば、図６に示すように、光量S1に対応する原稿背景濃度D1を初期値に設定して運用し、その運用での経験値(エラーの発生状況等)を利用して、マージンを見直し、光量S2に対応するD2に閾値を補正する、といったことが行われる。
【００９０】
当初のマージンと見直し後のマージンとの差、ΔS=S1-S2 は、利用環境に依存する部分であり、使用の状況で変わる部分である。
【００９１】
ＭＦＰの設置場所を移動させた場合、移動先の周辺に設置されているＭＦＰの設置値から、移動後の設置場所における最適な設定値を推定する。ただし、上述したように、周辺のＭＦＰにおける経験値は、設置後、ある程度以上の経過時間を有するものだけ利用でき、経過時間が一定以下のものは利用できない。
【００９２】
そこで、設定値を、第１調整値（設置場所に依存して定まる部分）と第２調整値（経過時間に基づく部分）に分けて管理する。すなわち、設定値＝第１調整値＋第２調整値、とする。そして、移動させたＭＦＰに設定する設定値のうちの第１調整値の部分は、移動先の周辺のＭＦＰの第１調整値から導出する。第２調整値の部分は、移動先の周辺のＭＦＰの設置後の経過時間が一定以上であれば、移動先の周辺のＭＦＰの第２調整値に基づいて導出し、移動先の周辺のＭＦＰの設置後の経過時間が一定以上でなければ、自装置の前の設置場所での第２調整値を使用する。
【００９３】
図７は、居室ＡにおけるＭＦＰの配置と各場所での外光の状況を示している。（Ｘ，Ｙ）はそれぞれのＭＦＰの設置場所の座標を表している。背景の濃度は外光の明るさに対応している。この例では、ＭＦＰ(A)の設置場所付近の外光は強く、ＭＦＰ３の設置場所付近の外光は弱い。
【００９４】
図８は、図７の配置からＭＦＰ(C)を移動させた例を示している。ＭＦＰ(C)は、（Ｘ３，Ｙ３）から（Ｘ８，Ｙ８）に移動している。領域外消去に関する設定値のうちの第１調整値は、外光の強さに依存して設定されるものであるから、移動先でのＭＦＰ(C)に設定する領域外消去に関する設定値は、その周辺のＭＦＰ２、ＭＦＰ３での外光の強さに基づいて設定する。
【００９５】
ここでは、移動先の周辺に配置されているＭＦＰ２、ＭＦＰ３のそれぞれから、第１調整値（測定した外光の強さ(S0)、または外光の強さ(S0)に基づいて設定された閾値D1）を取得し、これらのＭＦＰ(C)との距離に反比例する重みづけ平均を求め(補間値)、この値を、移動後のＭＦＰ(C)の設定値のうちの第１調整値とする。
【００９６】
すなわち、移動後のＭＦＰ(C)とＭＦＰ２との距離をＬ２、移動後のＭＦＰ(C)とＭＦＰ３との距離をＬ１とすると、
移動後のＭＦＰ(C)の第１調整値＝（ＭＦＰ２の第１調整値×Ｌ１＋ＭＦＰ３の第１調整値×Ｌ２）÷（Ｌ１＋Ｌ２）  となる。なお、最も近いＭＦＰの第１調整値をそのまま採用してもよい。
【００９７】
移動後のＭＦＰ(C)の第２調整値の導出法は、周辺のＭＦＰの設置後の経過時間によって異なる。
【００９８】
（１）ＭＦＰ２、ＭＦＰ３が共に、設置後の経過時間が一定上の場合
移動後のＭＦＰ(C)の第２調整値＝（ＭＦＰ２の第２調整値×Ｌ１＋ＭＦＰ３の第２調整値×Ｌ２）÷（Ｌ１＋Ｌ２）
（２）ＭＦＰ２のみ設置後の経過時間が一定上の場合
移動後のＭＦＰ−Ｃの第２調整値＝ＭＦＰ２の第２調整値
（３）ＭＦＰ３のみ一定上の稼動時間を有する場合
移動後のＭＦＰ(C)の第２調整値＝ＭＦＰ３の第２調整値
（４）ＭＦＰ２、ＭＦＰ３ともに設置後の経過時間が一定以上でない場合
移動後のＭＦＰ(C)の第２調整値＝前の設置場所でのＭＦＰ(C)の第２調整値
【００９９】
次に、移動したＭＦＰが周辺のＭＦＰから設定値情報を収集して設定値を導出して自動設定する場合と、管理サーバ４０が設定値を導出する場合の動作シーケンスをそれぞれ説明する。
【０１００】
＜ＭＦＰが設定値を導出する場合＞
ＭＦＰ１がＭＦＰ２、ＭＦＰ３の周辺に移動した場合の例を、図９、図１０を参照して説明する。移動したＭＦＰ１の設定値情報取得部３１は、第１通信手段で周辺のＭＦＰ２、ＭＦＰ３と通信してＭＦＰ２、ＭＦＰ３から位置情報や設定値情報を取得する。第1通信手段は、Bluetooth(登録商標)などの近距離無線通信や、ＵＳＢケーブルでの１：１接続、ＮＦＣ(Near Field Communication)での伝達などである。ＱＲコード（登録商標）をＭＦＰ２やＭＦＰ３で印刷し、それをＭＦＰ１でスキャンするといった方法など、情報伝達方法は任意でよい。
【０１０１】
図９、図１０の例では、近距離無線通信で接続し、ＭＦＰ１からＭＦＰ２やＭＦＰ３に設定値情報や位置情報の取得を問い合わせし（Ｐ１）、ＭＦＰ１はＭＦＰ２やＭＦＰ３から応答を受信する（Ｐ２）。この応答には、応答元のＭＦＰの設定値情報と位置情報（座標情報等）が含まれる。設定値情報には、その設定値に関する第１調整値、第２調整値、設置日時などが含まれる。
【０１０２】
次に、ＭＦＰ１は、位置情報取得部３３により、移動後の自装置の位置情報を取得する（Ｐ３）。たとえば、ＧＰＳ機能で取得する。あるいは、自装置に近い無線通信の基地局の位置に基づいて取得する。あるいは、ユーザからの入力によって取得する。ユーザから入力される位置情報は座標入力でもよいし、たとえば、各ＭＦＰの配置図を表示し、この配置図上で自装置の設置位置を指し示す操作をユーザから受けて、自装置の位置情報を取得するようにしてもよい。
【０１０３】
次に、ＭＦＰ１の設定値導出部３２は、ＭＦＰ２、ＭＦＰ３から取得した設定値情報、位置情報、および自装置の移動後の位置にもとづいて、移動後の設置位置に対応する設定値を導出する（Ｐ４）。設定値は、前述したように、設置場所に依存した第１調整値と経時変化(経過時間)に基づく第２調整値との和として求める。ＭＦＰ１の設定部３４は、設定値導出部３２が導出した設定値を自装置に設定する。なお、ＭＦＰ２やＭＦＰ３から取得したネットワーク設定に基づいて、自装置のネットワーク設定も行う。ネットワーク設定は、周辺のＭＦＰから取得した設定値情報に基づいて導出する、設置場所に依存した設定値の１つである。
【０１０４】
＜管理サーバ４０が設定値を導出する場合＞
ＭＦＰ１がＭＦＰ２、ＭＦＰ３の周辺に移動した場合の例を、図１１、図１２を参照して説明する。
【０１０５】
（１）新たな設置場所に移動したＭＦＰ１をサービスマンが起動する。
（２）起動したＭＦＰ１は、近傍のＭＦＰ２と、前述と同様の第１通信手段で通信する。第１通信手段で通信できたＭＦＰの中の任意のもの、あるいはＭＦＰ１に最も近いものを選択する。
【０１０６】
（３）ＭＦＰ１は、ＭＦＰ２に対してネットワーク設定情報を問い合わせする（Ｐ１）。この問い合わせを受けたＭＦＰ２は、自装置のネットワーク設定情報をＭＦＰ１に送信する（応答：Ｐ２）。
（４）ＭＦＰ１はＭＦＰ２から取得したネットワーク設定情報を使用して自装置のネットワーク設定を自動設定する。
【０１０７】
（５）ＭＦＰ１はネットワークを通じて管理サーバ４０に接続する。
（６）ＭＦＰ１は、自装置の位置情報を管理サーバ４０に通知する（登録：Ｐ３）。
ＭＦＰ１が位置情報を持たない場合は、管理サーバ４０からマップ情報を受信し、自装置の操作パネル２２に該マップ情報に基づくマップを表示し、このマップを見て、サービスマンがマップ上で位置を指定する。または、サービスマンが携帯端末等のＧＰＳ機能を使って入手した位置情報をＭＦＰ１に入力して管理サーバ４０に通知するなどでもよい。管理サーバ４０の第２位置情報取得部５２は、各ＭＦＰからの通知により各ＭＦＰの位置情報を取得する。
【０１０８】
（７）管理サーバ４０の装置特定部５３は、ＭＦＰ１から通知された位置情報に基づき、ＭＦＰ１の周辺にあるＭＦＰを特定する。
（８）管理サーバ４０の第２設定値情報取得部５１は、各ＭＦＰからの通知により各ＭＦＰの位置情報や設定値情報を取得し、管理テーブル６０に登録して保持している。各ＭＦＰは設定値が変更された場合、ただちにこれを管理サーバ４０に通知するようになっており、管理サーバ４０の管理テーブル６０は常に最新の値に更新される。
【０１０９】
（９）管理サーバ４０の第２設定値導出部５４は、移動後のＭＦＰ１の位置および、特定した周辺のＭＦＰの位置情報、設定値情報に基づいて、移動後のＭＦＰ１の設定値を導出する（Ｐ４）。設定値は、前述したように、設置場所に依存した第１調整値と経時変化(経過時間)に基づく第２調整値との和として求める。
【０１１０】
（１０）管理サーバ４０の設定値送信部５５は、第２設定値導出部５４が導出した設定値をＭＦＰ１に送信して設定させる（Ｐ５）。
【０１１１】
次に、管理サーバ４０による設定値の導出例を具体的に説明する。
【０１１２】
管理サーバ４０は、各設定項目に対して、図１３に示すような管理テーブル６０を保持する。ここでは、領域外消去を例に説明する。管理テーブル６０に登録されている各データは、ネットワークを介して各ＭＦＰから取得している。
【０１１３】
図１３の管理テーブル６０には、各ＭＦＰについて、位置、装置名、初期設定値、現在設定値、設置日時等が登録される。位置に関しては、図１４に示すように、座標の原点を居室の左上（たとえば、北西の角）とした場合を示す。座標は、ＧＰＳ等で使用されるグローバルな座標でもかまわない。
【０１１４】
設定値の計算方法は以下のようになる。
設定値＝第１調整値＋第２調整値、である。第１調整値は設置位置に依存する値（関数）であり、領域外消去なら外光の強さに対応する部分である。
【０１１５】
移動後の設置場所における第１調整値は、移動後の設置場所の周辺のＭＦＰの第１調整値に対して、それぞれのＭＦＰまでの距離に基づく補間処理を行って求める。すなわち、周辺のＭＦＰの第１調整値の、対象のＭＦＰと周辺の各ＭＦＰとの距離に反比例する、重みづけ平均の値を、対象のＭＦＰの第１調整値として導出する。図１３に示す管理テーブル６０では、初期設定値が第１調整値に対応する。
【０１１６】
第２調整値は時間（設置からの経過時間（または稼動時間））に依存する値（関数）であり、設置からの経時変化を考慮するための調整値である。管理テーブル６０では、経過時間は、現在日時−設置日時、で求める。また、管理テーブル６０では、第２調整値は、初期設定値と現在設定値の差として求める。領域外消去の場合、移動後の周辺のＭＦＰの経過時間と、自装置の前の設置場所での経過時間（設置されていた時間）とを比較し、長い方の第２調整値を、移動後の第２調整値とする。このように、使われた時間が長い方の第２調整値を使うことで、利用に即した設定値、すなわち、ユーザにとって使い勝手のよい設定値を設定することができる。
【０１１７】
なお、第２調整値についても、移動させた対象装置の周辺の装置の経過時間、あるいは周辺の装置の経過時間と対象装置の移動前の設置場所での経過時間、に基づく重みづけ平均により、移動後の対象装置の第２調整値を求めてもよい。また、経過時間と、移動させた対象装置から周辺の各装置までの距離(距離の反比例)の２つの要素で重みづけを行って重みづけ平均を算出するようにしてもよいし、移動させた対象装置から周辺の各装置までの距離(距離の反比例)に基づく重みづけを行って重みづけ平均を算出するようにしてもよい。なお、最も近い装置の第２調整値を移動後の第２調整値とする方法もある。
【０１１８】
図１５は、対象装置の移動後の設定値を導出する処理を示す流れ図である。管理サーバ４０は、管理テーブル６０に登録されている各装置の位置情報と、移動後の対象装置の位置情報とから、移動後の対象装置の周辺にある装置を特定する（ステップＳ１０１）。次に、特定した周辺の装置の第１調整値について、対象装置とそれぞれの装置との距離に反比例する重みづけ平均を算出し、その算出した値を、移動後の対象装置の第１調整値とする（ステップＳ１０２）。
【０１１９】
次に、特定した周辺の装置の中から、現在の設置場所に設置してからの経過時間が所定時間以上のものを選出する（ステップＳ１０３）。周辺の装置の中にその場所に設置してからの経過時間が所定時間以上のものがなければ（ステップＳ１０４；Ｎｏ）、対象装置の前の設置場所での第２調整値を、移動後の対象装置の第２調整値として（ステップＳ１０５）、ステップＳ１０７に移行する。
【０１２０】
周辺の装置の中にその場所に設置してからの経過時間が所定時間以上の装置が存在する場合は（ステップＳ１０４；Ｙｅｓ）、その装置の第２調整値に基づいて、移動後の対象装置の第２調整値を算出して（ステップＳ１０６）、ステップＳ１０７に移行する。
【０１２１】
ステップＳ１０７では、管理サーバ４０は、上記の処理で求めた対象装置の第１調整値と第２調整値の和を、対象装置の設定値として求め、この値を対象装置に通知して設定させる。
【０１２２】
なお、管理サーバ４０は、管理テーブル６０に登録されている、対象装置に関する情報（位置、初期設定値）を更新、あるいは追加登録する。ここでは、位置は、対象装置の新たな設置位置とし、初期設定値は上記の処理で求めた設定値（第１調整値＋第２調整値）とする。現在設定値に初期設定値と同じ値を登録する。設置日時は現在日時を登録する。
【０１２３】
次に、その他の設定値の導出例を説明する。
【０１２４】
［１］ネットワーク設置場に係る設定
ネットワーク設定には、移動後の周辺装置から取得する管理サーバ４０への接続のためのネットワーク設定（ＩＰアドレス、サブネットマスク、ゲートウエー）のほかに、実使用上は下記の項目も入力が必要となる。
【０１２５】
・有線ＬＡＮの設定では、
（１）装置の置き場所（例：Ａ棟５階北角、第２会議室、ｘｘ開発部など）
（２）装置名称（例：第２会議室ＭＦＰ２０１０ＭＦＰ）
（３）ＳｃａｎＴｏの送信先フォルダや、プリントファイルを保存する共有サーバ （例：共有Ａ、ＡＡＡＡなど）
（４）タイムサーバ
などの設定が必要になる。このほか、近年では、ＭＦＰの内部にサーバ機能を持つ機種もあり、そのためのフォルダ名の設定が必要になる。また、外部のクラウドサービスに直接接続される場合には、その接続のための設定が必要になる。
【０１２６】
これらは、通例、近傍の装置と同様の設定をすることが多く、設置場所に依存した設定項目となっている。
【０１２７】
装置名称や装置の置き場所名のうち、位置に依存するものについては、命名規約に応じて、第１調整値として設定し、設置時期に依存するルールに基づく部分は第２調整値に相当するものとなる。たとえば、設置年を装置名称の最後に入れるルールなどを適用する場合、その部分は第２調整値となる。
【０１２８】
その他の名称等についても、名称設定のルールに、位置、設置時刻を採用すれば、本発明に係る設定方法で自動的に設定することができる。たとえば、命名規約の例として、管理部署＋設置年、装置の置き場所、管理部署＿設置順番などがある。図１６に例を示す。
【０１２９】
図１６の例では、新規の装置は、予め定めた命名規約（たとえば、管理部署+設置年＋（ハイフォン）＋設置順番号とする）に従って命名される。たとえば、位置（Ｘ２，Ｙ２）の近傍に設置されると、設置部署は庶務、設置年は２０１６、設置順番号は３となるため、“庶務２０１６−３”と命名されることになる。
【０１３０】
別の例として、無線ＬＡＮに関する設定がある。設定値は、ＳＳＩＤ（ＡＰ名称）、ＰＩＮ番号（パスワード）、暗号化方式などである。これらについても、基本は、近傍の装置と同様の設定をすることとなる。しかし、無線ＬＡＮではＡＰが近傍の装置で共用されるため、１つのＡＰに接続が集中すると、通信パフォーマンスが低下する。そこで、適度に複数のＡＰに振り分けることが通常おこなわれており、その際、装置位置を元に一定のルールに従い割り振ることになる。
【０１３１】
上記の設定項目に関する設定値の導出手順は、図１１、図１２に示したものと同様である。
【０１３２】
［２］位置検出、移動体検出センサ感度に関する設定
ＧＰＳ機能を利用して装置の位置検出を行うような場合には、ＧＰＳ用のアンテナを適切な位置に設置する必要があり、そのような場合に、移動した対象装置のアンテナの設置位置や設置方向は、周辺の装置のアンテナの設置位置や設置方向の情報に基づいて決定する。アンテナの位置を手動で調整する場合には、上記のようにして決定したアンテナの設置位置や設置方向の情報を表示部に表示し、実際の調整はサービスマン等が行えばよい。
【０１３３】
ＭＦＰは、ユーザが近づいて来たことを検出して省電力モードから復帰するといった機能を備えている。このような場合、人感センサなど、熱等の検出で働く移動体検出センサが使用されるが、この移動体検出センサの感度や指向性を、設置場所に応じて設定する必要があり、その設定にも本発明は有効である。
【０１３４】
たとえば、図１７に示すように、ＭＦＰ１の設置向きを９０度変更した場合、移動体検出センサの感度や指向性(検出範囲)を変更する必要が生じる場合がある。
【０１３５】
図１８は、移動体検出センサの感度や指向性に関して、管理サーバ４０が保持する管理テーブル６０の一例を示している。この管理テーブル６０には、ＭＦＰ毎に、位置、装置名称、センサの感度・向きの初期値、センサの感度・向きの現在値、装置の向き、センサ位置、設置日時、が登録されている。センサの向きの初期値や現在値が示す向きとは、装置の正面に対するセンサの指向性の中央の向きである。
【０１３６】
この場合、第１調整値は感度・向きの初期値である。第２調整値は、感度・向きの初期値と感度・向きの現在値との差である。第２調整値により、経年変化（実際の使用によるセンサ感度や向きの調整）が考慮される。なお、センサの向きの値が同じであっても、装置の向きが異なれば、座標上でのセンサの検出範囲は異なる。また、装置の正面の右端にセンサが取り付けられている場合と装置の正面の左端にセンサが取り付けられている場合にも、座標上でのセンサの検出範囲は異なる。
【０１３７】
そのため、設定値を導出する際には、たとえば、管理テーブル６０に登録されている、向きの初期値や向きの現在値が示すセンサの指向性の向きを、装置の向きやセンサ位置の情報に基づいて、座標上での向きに換算して暫定の設定値を導出し、暫定の設定値を、移動後の対象装置の向きやセンサ位置に基づいて、対象装置の実際の向きやセンサの取り付け位置に対応する設定値に変換する、といった処理を行う。
【０１３８】
上記の設定項目に関する設定値の導出手順は、図１１、図１２に示したものと同様である。
【０１３９】
なお、図９、図１０に示すように、管理サーバ４０を使用せずに、移動したＭＦＰが、移動後の設置場所の周辺のＭＦＰから位置情報や設定値情報を収集して、移動後の設置場所に適した各種の設定値を設定する場合に、そのＭＦＰが管理テーブル６０のようなテーブルを作成し、管理サーバ４０と同様の処理を行えばよい。
【０１４０】
このように、本実施の形態に係る印刷システム２では、ＭＦＰの入れ替えやレイアウト変更などで装置の位置を変更した場合に、設置場所に応じて設定すべき設定値についても適切な設定値を自動的に導出するので、サービスマン等が個別に設定する手間を軽減することができる。また、設置後の稼働時間に伴う設定値の変化(経時変化)を考慮した設定値を導出するので、その場所でのユーザの利用による経験値を最初から設定値に反映することができ、ユーザにとって使勝手の良い設定値を移動後の当初から適用することができる。
【０１４１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４２】
本発明を適用する画像処理装置１０はＭＦＰに限定されない。単機能のスキャナ装置、コピー機、プリンタなどでもかまわない。
【０１４３】
実施の形態で示した管理テーブル６０の形式や登録するデータは例示であり、これに限定されるものではない。たとえば、初期値と現在値を登録したが、初期値と初期値からの変化量を登録するようにしてもよい。
【符号の説明】
【０１４４】
２…印刷システム
３…ネットワーク
１０…画像処理装置
１１…ＣＰＵ
１２…ＲＯＭ
１３…ＲＡＭ
１４…画像読取部
１５…プリンタ部
１６…画像処理部
１７…不揮発メモリ
１８…ハードディスク装置
１９…ファクシミリ通信部
２１…ネットワーク通信部
２２…操作パネル
３１…設定値情報取得部
３２…設定値導出部
３３…位置情報取得部
３４…設定部
４０…管理サーバ
４１…ＣＰＵ
４２…ＲＯＭ
４３…ＲＡＭ
４４…不揮発メモリ
４５…操作部
４５…ハードディスク装置
４６…操作部
４７…表示部
４８…ネットワーク通信部
５１…第２設定値情報取得部
５２…第２位置情報取得部
５３…装置特定部
５４…第２設定値導出部
５５…設定値送信部
６０…管理テーブル
【図１】
2018107635.tif 000003
【図２】
2018107635.tif 000004
【図３】
2018107635.tif 000005
【図４】
2018107635.tif 000006
【図５】
2018107635.tif 000007
【図６】
2018107635.tif 000008
【図７】
2018107635.tif 000009
【図８】
2018107635.tif 000010
【図９】
2018107635.tif 000011
【図１０】
2018107635.tif 000012
【図１１】
2018107635.tif 000013
【図１２】
2018107635.tif 000014
【図１３】
2018107635.tif 000015
【図１４】
2018107635.tif 000016
【図１５】
2018107635.tif 000017
【図１６】
2018107635.tif 000018
【図１７】
2018107635.tif 000019
【図１８】
2018107635.tif 000020